(57)【要約】【課題】自身の入口にブロッキング要素を備えるリテーナと、リテーナにより保持される構成部品の引抜きに抵抗するブロッキング要素へ接続されるテザー（係止部）とを提供すること。【解決手段】ナットと、ボルトと、他の構成部品を保持するためのリテーナは、自身に構成部品の一部を維持しているためと構成部品の挿入用の入口開口部を有しているためとに設定されるポケットを含む。屈曲可能なブロッキング要素は開口部に配置されまた挿入圧力に屈し、構成部品がポケットに進入することを可能にしている。ブロッキング要素の末端部付近に固定されたテザーは、ポケット内の構成部品に加えられる引抜力に対応するブロッキング要素の屈曲に抵抗する。【選択図】図４
2006234166.tif 000002
【特許請求の範囲】
【請求項１】
構成部品を保持するためのリテーナであって；
自身に前記構成部品の少なくとも一部を把持するために設定されたポケットであって、前記構成部品を前記ポケットに挿入する入口開口部を有しているポケットと；
前記開口部に固定端部と末端部とを有しているブロッキング要素であって、前記ポケットへの進入を可能にするよう屈曲されているものと；
アンカ固定端部と第二端部とを有しているテザーであって、前記第二端部は前記末端部付近の前記ブロッキング要素へ接続されているものとを具備している；
リテーナ。
【請求項２】
前記テザーの前記アンカ固定端部は、前記ブロッキング要素の前記固定端部に対し前記入口開口部から前記ポケットに内向きになっている、請求項１に記載のリテーナ。
【請求項３】
前記ブロッキング要素は最外部の先端を有していて、また前記テザーは前記最外部の先端に対し離間された関係にある前記ブロッキング要素へ接続されている、請求項１に記載のリテーナ。
【請求項４】
前記テザーの前記アンカ固定端部は、前記ブロッキング要素の前記固定端部に対し前記入口開口部から前記ポケットに内向きになっている、請求項３に記載のリテーナ。
【請求項５】
前記テザー内に前記ブロッキング要素の屈曲に応じた方向に曲る破断点を含んでいる、請求項４に記載のリテーナ。
【請求項６】
前記ポケットは互いに離間して対向するチャネルを有していて、また前記入口開口部は前記チャネルの端部に存在している、請求項４に記載のリテーナ。
【請求項７】
前記ブロッキング要素は前記チャネル間のほぼ中央に設置されている、請求項６に記載のリテーナ。
【請求項８】
前記リテーナはプラスチック製である、請求項７に記載のリテーナ。
【請求項９】
前記ポケットは互いに離間して対向するチャネルを有していて、また前記入口開口部は前記チャネルの端部に存在している、請求項１に記載のリテーナ。
【請求項１０】
前記テザー内に前記ブロッキング要素の屈曲に応じた方向に曲る破断点を含んでいる、請求項１に記載のリテーナ。
【請求項１１】
構成部品を保持するためのクリップであって；
前記クリップを物件に接続するために設定されたアンカ固定部分と；
前記アンカ固定部分に接続されるリテーナであって、前記構成部品を保持するために設定されているものとを具備するクリップにおいて、
前記リテーナが；
自身に前記構成部品の少なくとも一部を把持するために設定されたポケットであって、前記構成部品を前記ポケットに挿入する入口開口部を有しているポケットと；
前記開口部に固定端部と末端部とを有するブロッキング要素であって、前記ポケットへ進入することを可能にするよう屈曲されているものと；
アンカ固定端部と第二端部とを有するテザーであって、前記第二端部は前記末端部付近
の前記ブロッキング要素へ接続されているものとを含んでいる；
クリップ。
【請求項１２】
前記テザーの前記アンカ固定端部は、前記ブロッキング要素の前記固定端部に対し前記入口開口部から前記ポケットに内向きになっている、請求項１１に記載のクリップ。
【請求項１３】
前記ブロッキング要素は最外部の先端を有していて、また前記テザーは前記最外部の先端から離れて前記ブロッキング要素へ接続されている、請求項１１に記載のクリップ。
【請求項１４】
前記テザー内に前記ブロッキング要素の屈曲に応じた方向に曲る破断点を含んでいる、請求項１１に記載のクリップ。
【請求項１５】
前記アンカと前記リテーナはプラスチックから成る一体型の物体の一部になっている、請求項１１に記載のクリップ。
【請求項１６】
前記リテーナは互いに離間して対向するチャネルを有していて、また前記入口開口部は前記チャネルの端部に存在している、請求項１１に記載のクリップ。
【請求項１７】
構成部品を保持するためのリテーナであって；
前記構成部品を挿入する入口開口部を有しているポケットと；
前記ポケットの中へ屈曲できる前記入口開口部内のブロッキング要素と；
前記ブロッキング要素を前記ポケットから離れる方向の屈曲から阻止しているテザーとを具備している；
リテーナ。
【請求項１８】
前記ポケットは、前記開口部の反対側にある背部と、前記開口部から前記背部へ延びている対向チャネルとを有している、請求項１７に記載のリテーナ。
【請求項１９】
前記チャネルは前記背部よりも前記開口部において深くなっている、請求項１８に記載のリテーナ。
【請求項２０】
前記チャネルは前記背部よりも前記開口部において広くなっている、請求項１８に記載のリテーナ。
【発明の詳細な説明】
【技術分野】
【０００１】
本発明は、一般的には構成部品を固定するためのリテーナに関し、具体的にはファスナ・システムの構成部品を保持するために設定されたリテーナに関する。
【背景技術】
【０００２】
ボルトなどネジ切りされたオス型のファスナ構成部品と、ナットなどネジ切りされたメス型の構成部品を含んでいる簡単なファスナ・システムは、一般に組立て品と建設物とに使用される。二つ以上の物品を、物品を貫通して一直線にされた開口部を備えまた物品の両側からファスナ・システム構成部品を挿入したりまた位置決めしたりすることにより一緒に保持できる。この型の簡単なファスナ・システムは、一緒に締結されている物品の両側がアクセスし易いとき使用することが容易である。
【０００３】
自動車と、電気製品と、類似品など多くの組立て品において、ファスナ・システムは、ファスナが固定されている状態のとき一方の側のみが容易にアクセスされる状態において使用される。反対側は組立ての際の初期段階に露呈されるが、組立てが進行すると閉鎖される状態になる。これらの状態において、“クリップ”として参照される保持固定具を使用することは周知であり、それは構造体に付加されまたオス型の構成部品あるいはメス型の構成部品のどちらかであるファスナ・システム構成部品の一つを保持するために設定される。第一構成部品が固定して位置決めされることにより、第二構成部品を、第一構成部品がもはや容易にアクセスできない時でさえそれに接続できる。ファスナ構成部品を適正状態に予め組立てて、またそれによって接続用のいくつかの個別の構成部品を一直線にしたり固定したりする少し煩雑な段階を除去することにより組立て効率を改良するために当該クリップを使用することも周知である。しかしながら、構成部品を固定してまた一定の正確な位置に保持することが全体的な組立て効率に対して決定的に重要な意味をもつことが多い。欠落したあるいははめ合いの悪いファスナあるいは他の構成部品は、組立てプロセスを大幅に混乱させることがある。
【０００４】
ファスナ保持クリップの簡単な設計は、クリップを物品に取付けるアンカ構造とファスナ・システム構成部品を保持するためのリテーナ構造とを含む。ファスナ構成部品が挿入される開口部を有しているチャネルあるいは他の制限付でアクセスするリテーナ構造を使用することは周知である。ファスナ構成部品が挿入された後に、構成部品がリテーナ構造内に把持されるように開口部を閉鎖することは周知である。開口部を閉鎖することは、閉鎖部品を取付けることと、入口開口部あるいは入口開口部付近の構造を変形することと、あるいは他の手段とにより達成できる。挿入されているファスナ構成部品の力に屈しまたいったん構成部品がリテーナ内に十分に挿入されると開口部を閉鎖するためにスプリング・バックする屈曲可能な要素を、入口開口部に使用することも周知である。
【０００５】
組立て効率を促進するために、組立て段階を最少化することが望ましい。したがって、リテーナ開口部を閉鎖しまたその中に保持される構成部品を把持したりするための追加的な段階を必要とするクリップ設計は、効率が悪くなるはずである。屈曲可能な要素を有するクリップは必要な段階が少ないが、欠点がないわけではない。ファスナ構成部品がその付近に保持される状態にあることにより組立てを促進している、屈曲することが容易である要素も、もし把持された構成部品が入口開口部を通って外側へ引抜かれるなら容易に屈曲できあるいは破断できる。もし要素が引抜きに対する抵抗を増大するようより剛く作製されるなら、構成部品を把持するように挿入する行為は困難になり、大きな挿入力を必要とするはずである。
【０００６】
必要とされるものは、構成部品を容易に把持し、さらに固定して構成部品を保持しまた自身からの構成部品の引抜きに抵抗する、ナットと、ボルトと、他の構成部品を保持するためのリテーナである。
【発明の開示】
【発明が解決しようとする課題】
【０００７】
本発明は、リテーナの入口部にブロッキング要素を備えるリテーナと、リテーナにより保持される構成部品の引き抜きに抵抗するブロッキング要素へ接続されるテザー（係止部）とを提供する。
【課題を解決するための手段】
【０００８】
その一つの態様において、本発明は、自身に構成部品の少なくとも一部を把持しているために設定されるポケットを備える構成部品を保持するためのリテーナを提供する。ポケットは、構成部品がポケットに挿入される入口開口部を有する。ブロッキング要素は、開口部内に固定端部と末端部とを有する。ブロッキング要素は、ポケットへ進入できるように屈曲できる。
テザーはアンカ固定端部と第二端部とを有し、第二端部は末端部付近のブロッキング要素へ接続されている。
【０００９】
さらなる態様において、本発明は、クリップを物品に接続するためのアンカとアンカに接続されるリテーナとを備え、構成部品を保持するためのクリップを提供する。
リテーナは構成部品を保持するために設定され、またその中に構成部品を少なくとも一部を把持するために設定されたポケットを含む。ポケットは、構成部品がポケットに挿入される入口開口部を有する。ブロッキング要素はポケットへ進入できるよう屈曲される。ブロッキング要素は、開口部内に固定された端部と末端部とを有する。ブロッキング要素は、ポケットへ挿入できるように屈曲される。テザーはアンカ固定端部と第二端部とを有し、第二端部は末端部付近のブロッキング要素へ接続されている。
【００１０】
その別の実施態様において、本発明は構成部品を保持するためのリテーナを提供する。リテーナは、構成部品が挿入される入口開口部を備えるポケットを有する。入口開口部内のブロッキング要素はポケットの中へ屈曲できる。テザーは、ブロッキング要素がポケットから離れる方向に屈曲することを阻止する。
【発明の効果】
【００１１】
本発明の利点は、ファスナ構成部品により組立てることが容易で、さらにファスナ構成部品を固定して保持し、構成部品の引抜きを阻止しているファスナ構成部品用のリテーナを提供していることである。
【００１２】
本発明の別の利点は、ナットと、ボルトあるいは他の物品とに使用できまた組立てることが容易なリテーナを提供していることである。
【００１３】
本発明の別の利点は、物品をしっかりと保持しさらにプラスチックと他の安価な材料とから低価格で製造できるリテーナ・クリップを提供していることである。
【００１４】
本発明の他の特徴と利点は、同一符号は同一部品を示すのに使用される以下の詳細な記載と、請求項と、図面との概要で当業者に明らかになる。
【００１５】
本発明の実施態様が詳述される前に、本発明は実施にあたって以下の記載に説明されあるいは図面に示される構成部品の詳細な構造と配置とに限定されるものではないことが理解されるべきである。本発明は他の実施態様が可能であり、様々な方法で実行されまた達成されることができる。同様に、この中で使用される語法と述語は記載のためであり限定するためのものではない。この中で使用の“including”と“comprising”とそれらの変形は、今後にリストされる物品とその同等物、ならびに追加的な物品とその同等物とを網羅するように意図されている。
【発明を実施するための最良の形態】
【００１６】
具体的に図面を特に図１と２とを参照すると、符号１０は本発明に記載のリテーナ１２を有するクリップを示す。クリップ１０はさらに、物品あるいは物件にクリップ１０を固定できるアンカ固定部分１４を含む。リテーナ１２とアンカ固定部分１４とを含んでいるクリップ１０は、適切な材料から成る一体型の物体である。プラスチックは一般に、クリップ１０として使用するために適切であるが、他の材料も少なくともクリップ１０の部品には使用できる。
【００１７】
図１に示されるアンカ固定部分１４は、単に一つの適切な形態である。当業者は、アンカ固定部分１４は、それが使用される物件あるいは物品へクリップ１０を設置したり固定したりするためのいずれかの適切な形態であるはずと容易に理解する。したがって、クリップ１０は、クリップ１０が設置される物品あるいは物件の、周囲にスナップ式に適合するロッキング構造を有している、あるいは部分に挿入されている、様々な壁１６を含むことができる。さらに、アンカ固定部分１４は、所望する位置にクリップ１０を固定する他のファスナを収納するための孔（示されていない）あるいは他の適切な構造を所有できる。さらに、アンカ固定部分１４のための他の締まり嵌め式あるいはスナップ式に適合する形態は、所望する位置と配向とにクリップ１０を固定するために使用できる。
【００１８】
リテーナ１２は、チャネル２０と、２２と、背部２４と、入口開口部２６とを含んでいるポケット１８を有する。図示されるリテーナ１２の実施態様において、入口開口部２６は、背部２４から反対側のチャネル２０と、２２との端部に配置される。ポケット１８からの開放空間２８はチャネル２０と、２２との間に配備され、その結果リテーナ１２に保持される構成部品は、開放空間２８を通ってポケット１８から突出している構成部品の部分を用いてポケット１２内に固定できる。
【００１９】
ブロッキング要素３０は入口開口部２６に配備され、また最外部の先端３６を有する固定端部３２と末端部３４とを含む。ブロッキング要素３０は、ポケット１８の内部に向かう方向に屈曲可能である。
【００２０】
テザー４０は、ブロッキング要素３０に固定されるアンカ固定端部と第二端部４４とを含む。さらに詳述されるように、テザー４０は、ブロッキング要素３０に対し設定されまた配置され、ブロッキング要素３０がポケット１８から離れる方向に屈曲しないようにしまたポケット１８の中へあるいは向かう方向のブロッキング要素３０の屈曲と協働する。
【００２１】
したがって、さらに記載されるように、リテーナ１２は、頭部５２と、軸部５４と、ネジ切り部５６とを有するボルト５０を収納しまた維持するために設置される（図３と４）。頭部５２は、開放空間２８を通って突出している軸部５４とともにポケット１８内に保持され、その結果ネジ切り部５６の少なくとも一部は相補的なメス型のファスナ構成部品（示されていない）の取付けのために露呈される。
【００２２】
したがって、チャネル２０と、２２は、ポケット１８に内向きに面している縦方向開口部を備えて設置され、それは図１においてより明瞭に図示できる。チャネル２０と、２２は、許容される頭部５２の自由な横方向の移動が最小になるようにして、ボルト５０の頭部５２を収納するに十分な距離に離間される。背部２４は、入口開口部２６に最も近い端部の反対側の頭部５２の端部と係合するための縁を有する。頭部５２はそれによって、開口部２８を通って外向きに突出していてまたその上にネジ切り部５６を露呈している軸部５４と共にポケット１８に固定して維持される。図面において図示されるように頭部５２の挿入を促進するために、チャネル２０と、２２の幅と深さは、背部２４の付近よりも入口開口部２６において僅かに大きく提供され、その結果頭部５２はチャネル２０と２２と容易に調整されクリップ１０とボルト５０の組立てを開始する。
【００２３】
テザー４０、特にその第二端部４４は、末端部３４上の僅かに内側でブロッキング要素３０に連結され、それによって最外部の先端３６を露呈された状態のままにしている。頭部５２がポケット１８に十分に挿入された状態の図４に示されるように、最外部の先端３６は、背部２４に対して押付けられる側の反対側の頭部５２の側部に対して押圧される。したがって、頭部５２は、チャネル２０と２２との二つの対向面上のみならず背部２４と最外部の先端３６との二つの他の対向面上に固定して保持される。したがって、頭部５２はポケット１８内のほぼ固定された位置に保持される。
【００２４】
テザー４０、特にそのアンカ固定端部４２は、ブロッキング要素３０、特にブロッキング要素３０の固定端部３２に対して入口開口部２６から内側のポケット１８の内部のパネル５８に固定される。したがって、ボルト５０がポケット１８に挿入されている図３に示されるように、頭部５２は、ブロッキング要素３０に対して押されまたブロッキング要素３０を屈曲させまたテザー４０を開口部２８から離れるようにし、それによって頭部５２をポケット１８の中に押し込まれた状態にすることを可能にする。ブロッキング要素３０とテザー４０はパネル５８に向けて平坦化され、また最外部の先端３６は、ボルト５０がポケット１８の中に挿入されると頭部５２の全ての端部表面を摺動する。頭部５２が背部２４に接近すると、最外部の端部自体はブロッキング要素３０の最外部の先端３６を通過し、またブロッキング要素３０は図４において示されるように跳ね返る。ブロッキング要素３０の跳ね返り状態において、最外部の先端３６は頭部５２の側部上に配備され、またブロッキング要素３０とテザー４０との連結部は、頭部５２の外端部縁と係合する。したがって、頭部５２は、開口部２８に向けて偏って保持される。
【００２５】
ブロッキング要素３０は、ボルト５０の挿入の際にテザー４０と一緒に容易に屈曲される。しかしながら、頭部５２がポケット１８に十分に挿入されまたブロッキング要素３０が跳ね返った後に、もしポケット１８から頭部５２を引抜こうとする方向に引抜力がボルト５０に加えられるなら、テザー４０は入口開口部２６に対して外向きに容易には引抜かれないように末端部３４を固定する。ポケット１８から離れる方向のブロッキング要素３０の屈曲は、テザー４０を引張状態に設置し、ブロッキング要素３０が外向きに屈曲しないようにしている。したがって、ブロッキング要素３０を内向きに屈曲させるに必要な挿入力が最小であるのに、ポケット１８からボルト５０を引抜くに必要な引抜きあるいは抜取り力は大幅に大きくなる。したがって、リテーナ１２内のボルト５０の組立ては容易に達成され、さらにリテーナ１２は強力な固定保持力のボルト５０をクリップ１０内に提供する。
【００２６】
ポケット１８中へのボルト５０の挿入をさらに促進するために、ブロッキング要素３０とテザー４０との接合部付近などの可撓領域あるいは破断点を設けてもよい。破断点６０は、頭部５２が挿入されると負荷される圧縮力に対応して所望する位置に曲げを生じ易くし、頭部５２を挿入するに必要な力をさらに低減している。しかしながら、破断点６０は、もしボルト５０がポケット１８に対して外向きに押し進められるなら発生する引張力に対しては重要ではない。したがって、破断点６０の使用は、ポケット１８内にボルト５０を設置するに必要な力とブロッキング要素３０によりボルト５０の引抜に対して負荷される抵抗力との間の差異を増大できる。
【００２７】
さらに、ブロッキング要素３０は、物品あるいは物件あるいは構成部品がポケット１８内に挿入された後に、入口開口部２６を適正に閉鎖するに必要な様々な形態と形状とを選択できる。さらに、単一のほぼＵ形状のブロッキング要素３０が代表的な実施態様において示されているが、他の形状と形態を使用できる。二つ以上のブロッキング要素も使用できる。二つ以上のブロッキング要素が使用されるとき、個別のテザー４０を各ブロッキング要素のために提供できる。
【００２８】
前述の変形物と修正品は、本発明の範囲内にある。ここに開示されまた定義された本発明は、本文及び/又は図面から説明されあるいは明らかな二つ以上の個別の特徴の全ての選択肢の組合せに拡張すると理解されるべきである。これらの様々な組合せの全ては、本発明の様々な選択肢の態様を構成する。この中に記載される実施態様は、本発明を実行するための周知で最良の様態を説明し、また他の当業者が本発明を利用することを可能にする。請求項は先行技術により可能となる範囲まで選択的に実施態様を含むように構成される。
【００２９】
本発明の様々な特徴は以下の請求項において説明される。
【図面の簡単な説明】
【００３０】
【図１】図１は、本発明に記載のテザーされたリテーナ組立て品を有しているクリップの平面図である；
【図２】図２は、図１に示されるリテーナの断面図である；
【図３】図３は、図２の断面図に類似の部分断面図であるが、リテーナ内に挿入されているファスナ構成部品を図示している；
【図４】図４は、図３に類似の部分断面図であるが、リテーナ内に十分に挿入されたファスナ構成成分を図示している。
【符号の説明】
【００３１】
１２    リテーナ
２４    背部
２６    入口開口部
３０    ブロッキング要素
３２    固定端部
３４    末端部
４０    テザー
４２    アンカ固定端部
４４    第二端部
５０    ボルト
【図１】
2006234166.tif 000003
【図２】
2006234166.tif 000004
【図３】
2006234166.tif 000005
【図４】
2006234166.tif 000006